(57)【要約】      （修正有）【課題】内部汚染を回避することができる再利用可能なマスクを提供する。【解決手段】マスク本体１００と、前記マスク本体を着用者の顔部に固定する装着部３００と、前記マスク本体と前記顔部の間に設置される交換層２００と、前記交換層を前記マスク本体に固定する固定部４００とを備えることを特徴とする再利用可能なマスク。【選択図】図１
0003233369.tif 000002
【実用新案登録請求の範囲】
【請求項１】
マスク本体と、前記マスク本体を着用者の顔部に固定する装着部と、前記マスク本体と前記顔部の間に設置される交換層と、前記交換層を前記マスク本体に固定する固定部とを備えることを特徴とする再利用可能なマスク。
【請求項２】
前記交換層は前記マスク本体に接続され、前記交換層の第１の部分は前記マスク本体の上側から下に向かって前記マスク本体の前記顔部から離れる側に取り付けられ、前記交換層の第２の部分は前記マスク本体の上側から下に向かって前記マスク本体の顔部に向かう側に取り付けられることを特徴とする請求項１に記載の再利用可能なマスク。
【請求項３】
前記交換層の第１部分には、少なくとも２つの開口部が設けられており、前記固定部は前記マスク本体に設けられるノーズクリップであり、前記ノーズクリップが前記開口部を通過することによって、前記交換層を前記マスク本体に固定することを特徴とする請求項２に記載の再利用可能なマスク。
【請求項４】
前記ノーズクリップは端部に屈曲部分を有するストリップであることを特徴とする請求項３に記載の再利用可能なマスク。
【請求項５】
前記固定部は取り付け部であり、前記交換層の第１部分が前記マスク本体の前記顔部から離れる側に取り付けられることを特徴とする請求項２に記載の再利用可能なマスク。
【請求項６】
前記交換層は、少なくとも２つの前記交換層であり、各前記交換層に少なくとも１つの有孔線を備え、前記有孔線は各交換層の第２の部分の上部、中部及び／あるいは下部に設置されることを特徴とする請求項１―５のいずれか１項に記載の再利用可能なマスク。
【請求項７】
前記固定部は取り付け部であり、前記交換層の上側は、前記取り付け部によって、前記マスク本体の前記顔部に向かう側の鼻に面する位置、鼻の真上の位置あるいは鼻の真下の位置に取り付けられることを特徴とする請求項１に記載の再利用可能なマスク。
【請求項８】
前記交換層の下側は、前記取り付け部を介して前記マスク本体の前記顔部に面する側の下部に取り付けられ、または、前記マスク本体の前記顔部から離れる側の下部に取り付けられることを特徴とする請求項７に記載の再利用可能なマスク。
【請求項９】
前記交換層は垂直方向に沿って複数の折り畳み部を備え、前記交換層は、トイレットペーパー層、綿布層、または硬質紙層であることを特徴とする請求項１―５、７、８のいずれか１項に記載の再利用可能なマスク。
【請求項１０】
前記マスク本体は水平方向に沿って配置される少なくとも９  １２個の水平折り畳み部を備え、前記着用者の口および鼻に対応する位置に連続的なジグザグプロファイルを形成することを特徴とする請求項１―５、７、８のいずれか１項に記載の再利用可能なマスク。
【考案の詳細な説明】
【技術分野】
【０００１】
本考案は、マスクに関するものである。特に、再利用可能とするマスクに関するものである。
【背景技術】
【０００２】
現在、新型コロナウイルスは世界中で猛威を振るっている。多くの国や地域の人々にとって、マスクを入手することが困難になった。しかし、市販されているほとんどの使い捨てマスクは短期間しか使用できない。着用者の唾液で保湿されてしまい、使い続けることができなくなる。長期間使用できるマスクの中には、着用者の唾液の蓄積により、マスクが汚され、使い続けることができない。したがって、マスク不足の状況で着用者の複数回使用を満足させ、そして、着用者の唾液または長期使用によって引き起こされる内部汚染を回避することができる再利用可能なマスクが必要である。
【考案の概要】
【考案が解決しようとする課題】
【０００３】
本考案は、上記従来技術の有する問題点に鑑みなされたものであり、その目的とするところは、着用者の顔部とマスク本体の間に交換層を設置することにより再利用可能とするマスクを提供することにある。
【課題を解決するための手段】
【０００４】
本考案の目的は以下のように実現された。なお、以下の説明において、考案の理解を容易にするために図面中の符号等を括弧書きで付記するが、本考案の各構成要素はこれらの付記したものに限定されるものではなく、当業者が技術的に理解しうる範囲にまで広く解釈されるべきものである。
【０００５】
マスク本体と、前記マスク本体を着用者の顔部に固定する装着部と、前記マスク本体と前記顔部の間に設置される交換層と、前記交換層を前記マスク本体に固定する固定部とを備えることを特徴とする再利用可能なマスク。
【０００６】
前記交換層は前記マスク本体に接続され、前記交換層の第１の部分は前記マスク本体の上側から下に向かって前記マスク本体の前記顔部から離れる側に取り付けられ、前記交換層の第２の部分は前記マスク本体の上側から下に向かって前記マスク本体の顔部に向かう側に取り付けられることが好ましい。
【０００７】
前記交換層の第１部分には、少なくとも２つの開口部が設けられており、前記固定部は前記マスク本体に設けられるノーズクリップであり、前記ノーズクリップが前記開口部を通過することによって、前記交換層を前記マスク本体に固定することが好ましい。
【０００８】
前記ノーズクリップは端部に屈曲部分を有するストリップであることが好ましい。
【０００９】
前記固定部は取り付け部であり、前記交換層の第１部分が前記マスク本体の前記顔部から離れる側に取り付けられることが好ましい。
【００１０】
前記交換層は、少なくとも２つの前記交換層であり、各前記交換層に少なくとも１つの有孔線を備え、前記有孔線は各交換層の第２の部分の上部、中部及び／あるいは下部に設置されることが好ましい。
【００１１】
前記固定部は取り付け部であり、前記交換層の上側は、前記取り付け部によって、前記マスク本体の前記顔部に向かう側の鼻に面する位置、鼻の真上の位置あるいは鼻の真下の位置に取り付けられることが好ましい。
【００１２】
前記交換層の下側は、前記取り付け部を介して前記マスク本体の前記顔部に面する側の下部に取り付けられ、または、前記マスク本体の前記顔部から離れる側の下部に取り付けられることが好ましい。
【００１３】
前記交換層は垂直方向に沿って複数の折り畳み部を備え、前記交換層は、トイレットペーパー層、綿布層、または硬質紙層であることが好ましい。
【００１４】
前記マスク本体は水平方向に沿って配置される少なくとも９  １２個の水平折り畳み部を備え、前記着用者の口および鼻に対応する位置に連続的なジグザグプロファイルを形成することが好ましい。    
【考案の効果】
【００１５】
本考案の再利用可能なマスクは、以下の有益な効果を有する。着用者の顔部とマスク本体との間に交換可能な交換層を提供することにより、再利用でき、唾液の保湿または長期間の使用によりマスクの内側を汚すことが回避できる。また、交換層の設置方法が簡単で、マスク本来の構造に影響を与えないため、低コストである。さらに、複数の交換層を設置することができ、マスクの使用時間をさらに延長できる。さらに、折り畳み部を設けることにより、人の皮膚と交換層２００との接触面積を最小限に抑え、唾液の保湿を回避しながら、気流の浸透率を向上させ、呼吸を快適にすることができる。さらに、交換層の位置が多様で、着用者は元のマスク本体で呼吸することができる。さらに、複数の水平折り畳み部を提供することにより、唇または鼻孔へのマスク本体の付着を最小限に抑えるか、またはなくすことが可能になる。
【図面の簡単な説明】
【００１６】
【図１】図１は、本考案の第１実施形態の再利用可能なマスクの概略構造図である。
【図２】図２は、図１のＡ部の拡大図である。
【図３】図３は、図１の再利用可能なマスクの交換層の概略構造図である。
【図４】図４は、図１の再利用可能なマスクの交換層と固定部の正面表示図である。
【図５】図５は、図１の再利用可能なマスクの交換層と固定部の裏面表示図である。
【図６Ａ】図６Ａは、図５のＢ部の拡大図である。
【図６Ｂ】図６Ｂは、図５のＢ部の拡大図である。
【図６Ｃ】図６Ｃは、図５のＢ部の拡大図である。
【図７】図７は、本考案の第２実施形態の再利用可能なマスクの概略構造図である。
【図８】図８は、本考案の第３実施形態の再利用可能なマスクの概略構造図である。
【図９】図９は、本考案の第４実施形態の再利用可能なマスクの概略構造図である。
【図１０】図１０は、本考案のもう一つの実施形態の再利用可能なマスクの概略構造図である。
【考案を実施するための形態】
【００１７】
本考案の目的、解決方法および利点をより明確にするために、図面および実施形態を参照して、以下でさらに詳細に説明する。本明細書に記載の特定の実施形態は、本考案を説明するためにのみ使用され、本考案を限定するために使用されないことを理解されたい。
【００１８】
図１は、本考案の第１実施形態の再利用可能なマスクの概略構造図である。図２は、図１のＡ部の拡大図である。図３は、図１の再利用可能なマスクの交換層の概略構造図である。図４と図５は、図１の再利用可能なマスクの交換層と固定部の正面表示図と裏面表示図である。図６Ａ―６Ｃは、図５のＢ部の拡大図である、即ち、固定部４００の端部構造である。
【００１９】
図１―６Ｃにおいて、本考案の第１実施形態の再利用可能なマスクは、マスク本体１００と、マスク本体１００を着用者の顔部に固定する装着部３００と、前記マスク本体１００と前記顔部の間に設置される交換層２００と、前記交換層２００を前記マスク本体１００に固定する固定部４００とを備える。
【００２０】
本実施形態において、図１と図３―５を参照しながら、交換層２００は、マスク本体１００上に接続されている。交換層２００の第１の部分２１０が、マスク本体１００の上側から下に向かってマスク本体１００の顔部から離れる側に取り付けられる。交換層２００の第２の部分２２０は、マスク本体１００の上側から下に向かってマスク本体１００の顔部に向かう側に取り付けられる。本実施形態において、交換層２００の第１の部分２１０の長さは比較的短く、マスク本体１００の上側をわずかに越えるだけでよい。交換層２００の第２の部分２２０の長さは比較的長く、好ましくは、人の顔部の口の下の位置まで延びる。図２に示すように、交換層２００は、少なくとも２つの交換層であり、好ましくは複数の交換層である。前記交換層２００は、トイレットペーパー層、綿布層、または硬質紙層であっても良い。
【００２１】
また、本実施形態において、図４―５に示すように、交換層２００の第１部分２１０には、少なくとも２つの開口部２１１が設けられており、前記固定部４００は、マスク本体１００に設けられるノーズクリップ４１０である。前記ノーズクリップ４１０が開口部２１１を通過することによって、交換層２００をマスク本体１００に固定する。  この好ましい実施形態では、図６Ａ―６Ｃに示すように、ノーズクリップ４１０は、真っ直ぐな端部を有するストリップ、または端部に屈曲部分を有するストリップである。屈曲部分のサイズは、実際のニーズに応じて楕円形または円形に設定できる。本考案の他の好ましい実施形態では、他の固定部品を使っても良い。例えば、接着剤、ナイロンボタン、永久接着または超音波溶接接着剤部品、または接着テープなどの取り付け部品でも良い。
【００２２】
この好ましい実施形態では、交換層２００の第２の部分２２０の上部には、水平方向に有孔線２２１を備えている。有孔線２２１を通して交換層２００を引き剥がすことができる。好ましくは、交換層２００は、複数の交換層を含み、各交換層の第２の部分２２０の上部には、水平方向に有孔線２２１を備えている。このようにして、交換層を簡単に交換することができる。
【００２３】
本考案において、マスク本体１００および装着部３００は、当技術分野における任意の既知のマスク本体および固定ロープを採用することができる。本考案の好ましい実施形態では、図１０に示すように、水平方向に沿って配置される少なくとも９  １２個の水平折り畳み部１１０を含む、特に好ましい新しいマスク本体１００が提供される。水平折り畳み部１１０の数は、任意に配置される。  好ましくは、水平折り畳み部１１０の数は、１インチあたり５から２０に達することができ、高さは２ｍｍから１０ｍｍである。
【００２４】
着用者がマスク本体１００を使用する場合、マスク本体１００は完全に伸ばされ、水平折り畳み部１１０の縦方向の中央領域は、着用者の口および鼻を完全に覆う。着用者の口および鼻に位置する多数の水平折り畳み部１１０は、連続的なジグザグプロファイルを形成し、これは、口および鼻の周りのマスク本体のソフト材質に硬化効果を与える。この構造により、着用者は呼吸または話しているときに、吸い込んだり唇を動かしたりすることで、ソフトなマスク本体が付着するのを防ぐことができる。ジグザグプロファイル構造により、ソフトなマスク本体と鼻や口の皮膚との接触面積が減少するため、より広い空気空間とより良い空気の動きが生まれ、呼吸の快適さが向上する。言い換えれば、機械的強度が強化された鋸歯状の輪郭構造を備えた多数の水平折り畳み部が形成されるため、マスク本体の呼吸能力が向上し、唇または鼻孔への付着が最小限に抑えられるか、または排除される。
【００２５】
本考案の再利用可能なマスクを実施することは、以下の有益な効果を有する。着用者の顔部とマスク本体との間に交換可能な交換層を提供することにより、再利用でき、唾液の保湿または長期間の使用によりマスクの内側を汚すことが回避できる。また、交換層の設置方法が簡単で、マスク本来の構造に影響を与えないため、低コストである。さらに、複数の交換層を設置することができ、マスクの使用時間をさらに延長できる。
【００２６】
図７は、本考案の再利用可能なマスクの第２の好ましい実施形態の概略構造図である。図７に示される好ましい実施形態では、第１の実施形態との違いは、交換層２００の第２の部分２２０の中間位置に、好ましくは口に面する位置に、長方形の有孔線２２１が設けられている。これにより、交換層２００は、有孔線２２１を介して引き剥がすことができる。
【００２７】
図８は、本考案の再利用可能なマスクの第３の好ましい実施形態の概略構造図である。図８に示される好ましい実施形態では、第１の実施形態との違いは、固定部４００が取り付け部であり、交換層２００の第１部分２１０がマスク本体１００の顔部から離れる側に取り付けられている。前記取り付け部は、接着剤、ナイロンボタン、永久接着または超音波溶接接着部であり、好ましくは接着テープである。好ましくは、図８に示すように、交換層２００の下側は、取り付け部を介してマスク本体１００の顔部に面する側の下部に取り付けられ、または、マスク本体１００の顔部から離れる側の下部に取り付けられる。この好ましい実施形態では、交換層２００は、垂直方向に沿って複数の折り畳み部２３０を含む。
【００２８】
折り畳み部２３０の配置は、人間の皮膚と交換層２００との間の接触面積を最小限に抑える。これは、着用者が話すとき、または交換層２００がわずかに濡れているときに、交換層２００が着用者の唇に付着するのを最小限に抑えるためである。好ましくは、交換層２００の下部を上向きに折りたたむことで、交換層２００の下部が２層以上になる。より厚い交換層２００は、より大きな吸収能力を提供し、着用者の口の周りの唾液中の偶発的または習慣的なこぼれを吸収することができる。そして、交換層２００のより薄い部分を単層折りたたんだままにして、より良い空気浸透率を提供し、呼吸を快適にする。このデザインは、話すときに習慣的に大量に溢れる着用者にも役立つ。
【００２９】
図９は、本考案の再利用可能なマスクの第４の好ましい実施形態の概略構造図である。この実施形態の再利用可能なマスクは、マスク本体１００と、人体の顔部にマスク本体１００を固定するための装着部３００と、マスク本体１００と顔部との間に設けられた交換層２００と、及び交換層２００をマスク本体１００に固定する固定部とを備える。
【００３０】
この実施形態では、固定部分は取り付け部４２０である、好ましくは接着テープである。  交換層２００の上面は、取り付け部４２０を介して、マスク本体１００の顔部に向かう側の鼻の真下の面に面する位置に取り付けられている。交換層２００の下側は、ぶら下がっても良い、または同じく取り付け部を介して、マスク本体１００の顔部に向かう側の下部にまたは顔部から離れる側の下部に取り付けられても良い。
【００３１】
この実施形態では、交換層２００全体を、着用者の皮膚とマスク本体１００との間に、鼻のすぐ下に配置することができる。この設計により、着用者は、前述の説明で強調された交換層２００を通して呼吸する必要なしに、元のマスク本体１００を使用してより快適に呼吸することができる。これは、着用者のニーズと好みに基づいて、より多くの選択肢を着用者に提供するためだ。
【００３２】
本考案のさらに好ましい実施形態では、交換層２００の上側は、取り付け部４２０を介して、鼻に面するマスク本体１００の位置に取り付けられる。交換層２００の下側は、ぶら下がっても良い、または同じく取り付け部を介して、マスク本体１００の顔部に向かう側の下部にまたは顔部から離れる側の下部に取り付けられても良い。これにより、交換層２００全体を、着用者の皮膚とマスク本体１００との間に、ちょうど鼻と口を含む位置に配置することができ、よりよく保護することができる。もちろん、交換層２００の上側が、取り付け部４２０によって、マスク本体１００の顔部に向かう側の鼻の真上の位置に取り付けられることも可能である。
【００３３】
本考案の再利用可能なマスクを実施することは、以下の有益な効果を有する。着用者の顔部とマスク本体との間に交換可能な交換層を提供することにより、再利用でき、唾液の保湿または長期間の使用によりマスクの内側を汚すことが回避できる。また、交換層の設置方法が簡単で、マスク本来の構造に影響を与えないため、低コストである。さらに、複数の交換層を設置することができ、マスクの使用時間をさらに延長できる。さらに、折り畳み部を設けることにより、人の皮膚と交換層２００との接触面積を最小限に抑え、唾液の保湿を回避しながら、気流の浸透率を向上させ、呼吸を快適にすることができる。さらに、交換層の位置が多様で、着用者は元のマスク本体で呼吸することができる。さらに、複数の水平折り畳み部を提供することにより、唇または鼻孔へのマスク本体の付着を最小限に抑えるか、またはなくすことが可能になる。
【００３４】
上記の各実施形態は本考案を実現するための具体的な実施形態であるが、実際の応用において、本考案の主旨及び範囲から逸脱することなく、形式及び細部に対する種々の変更を行うことができることは、当業者であれば理解できるはずである。
【００３５】
以上に説明されたのは、本考案の実施形態に過ぎず、当業者にとっては、本考案の思想から逸脱しない限り、さらに修正、同等の置き換え、および改良をすることができ、これらも本考案の保護範囲に含まれると理解すべきである。
【図１】
0003233369.tif 000003
【図２】
0003233369.tif 000004
【図３】
0003233369.tif 000005
【図４】
0003233369.tif 000006
【図５】
0003233369.tif 000007
【図６Ａ】
0003233369.tif 000008
【図６Ｂ】
0003233369.tif 000009
【図６Ｃ】
0003233369.tif 000010
【図７】
0003233369.tif 000011
【図８】
0003233369.tif 000012
【図９】
0003233369.tif 000013
【図１０】
0003233369.tif 000014
【手続補正書】
【提出日】令和3年6月9日(2021.6.9)
【手続補正１】
【補正対象書類名】実用新案登録請求の範囲
【補正対象項目名】全文
【補正方法】変更
【補正の内容】
【実用新案登録請求の範囲】
【請求項１】
マスク本体と、前記マスク本体を着用者の顔部に固定する装着部と、前記マスク本体と前記顔部の間に設置される交換層と、前記交換層を前記マスク本体に固定する固定部とを備えることを特徴とする再利用可能なマスク。
【請求項２】
前記交換層は前記マスク本体に接続され、前記交換層の第１の部分は前記マスク本体の上側から下に向かって前記マスク本体の前記顔部から離れる側に取り付けられ、前記交換層の第２の部分は前記マスク本体の上側から下に向かって前記マスク本体の顔部に向かう側に取り付けられることを特徴とする請求項１に記載の再利用可能なマスク。
【請求項３】
前記交換層の第１部分には、少なくとも２つの開口部が設けられており、前記固定部は前記マスク本体に設けられるノーズクリップであり、前記ノーズクリップが前記開口部を通過することによって、前記交換層を前記マスク本体に固定することを特徴とする請求項２に記載の再利用可能なマスク。
【請求項４】
前記ノーズクリップは端部に屈曲部分を有するストリップであることを特徴とする請求項３に記載の再利用可能なマスク。
【請求項５】
前記固定部は取り付け部であり、前記交換層の第１部分が前記マスク本体の前記顔部から離れる側に取り付けられることを特徴とする請求項２に記載の再利用可能なマスク。
【請求項６】
前記交換層は、少なくとも２つの前記交換層であり、各前記交換層に少なくとも１つの有孔線を備え、前記有孔線は各交換層の第２の部分の上部、中部及び／あるいは下部に設置されることを特徴とする請求項１〜５のいずれか１項に記載の再利用可能なマスク。
【請求項７】
前記固定部は取り付け部であり、前記交換層の上側は、前記取り付け部によって、前記マスク本体の前記顔部に向かう側の鼻に面する位置、鼻の真上の位置あるいは鼻の真下の位置に取り付けられることを特徴とする請求項１に記載の再利用可能なマスク。
【請求項８】
前記交換層の下側は、前記取り付け部を介して前記マスク本体の前記顔部に面する側の下部に取り付けられ、または、前記マスク本体の前記顔部から離れる側の下部に取り付けられることを特徴とする請求項７に記載の再利用可能なマスク。
【請求項９】
前記交換層は垂直方向に沿って複数の折り畳み部を備え、前記交換層は、トイレットペーパー層、綿布層、または硬質紙層であることを特徴とする請求項１〜５、７、８のいずれか１項に記載の再利用可能なマスク。
【請求項１０】
前記マスク本体は水平方向に沿って配置される少なくとも９〜１２個の水平折り畳み部を備え、前記着用者の口および鼻に対応する位置に連続的なジグザグプロファイルを形成することを特徴とする請求項１〜５、７、８のいずれか１項に記載の再利用可能なマスク。